(57)【要約】【課題】  所望の時刻表情報を容易に把握できる情報端末、時刻表情報表示方法及びプログラムを提供する。【解決手段】  時刻表データを格納するメモリ５０と、現在時刻情報を取得し、時刻表データと時刻情報とを比較する機能及び比較結果に基づいて、時刻表データから時刻情報に基づいて特定した時刻以降の時刻表データを部分的に選択する機能を有する時刻表データ選択部１１を含む制御部１０と、選択した時刻表データの表示形態を、時刻情報からの時間差に応じて変化させる表示修飾部２１を含み、選択した時刻表データを表示する画像表示部２１を備える。【選択図】  図１
2005227844.tif 000002
【特許請求の範囲】
【請求項１】
時刻表情報を表示部に表示可能な情報端末であって、
前記時刻表情報を格納する格納手段と、
時刻情報を取得する時刻情報取得手段と、
前記時刻表情報と前記時刻情報とを比較する比較手段と、
比較結果に基づいて、前記時刻表情報から前記時刻情報に基づいて特定した時刻以降の時刻表情報を部分的に選択する選択手段と、
選択した時刻表情報を前記表示部に表示させる表示制御手段と、
を備える情報端末。
【請求項２】
請求項１記載の情報端末であって、
前記表示制御手段は、選択した時刻表情報の表示形態を、前記時刻情報からの時間差に応じて変化させる情報端末。
【請求項３】
請求項１又は２記載の情報端末であって、
前記時刻表情報を取得する時刻表情報取得手段を備える情報端末。
【請求項４】
請求項３記載の情報端末であって、
前記時刻表情報取得手段は、文字認識により画像データから時刻表情報を読み取る情報端末。
【請求項５】
請求項１ないし４のいずれか一項記載の情報端末であって、
前記格納手段に格納された時刻表情報から、前記時刻情報と比較する時刻表情報を現在位置情報及び目的地情報に基づいて選択する時刻表情報選択手段を備える情報端末。
【請求項６】
時刻表情報を送信するサーバであって、
前記時刻表情報と時刻情報との比較により前記時刻表情報から部分的に選択した、前記時刻表情報から前記時刻情報に基づいて特定した時刻以降の時刻表情報を送信する送信手段を備えるサーバ。
【請求項７】
時刻表情報を表示部に表示させるプログラムであって、コンピュータを、
前記時刻表情報と時刻情報とを比較する比較手段、
比較結果に基づいて、前記時刻表情報から前記時刻情報に基づいて特定した時刻以降の時刻表情報を部分的に選択する選択手段、
選択した時刻表情報を前記表示部に表示させる表示制御手段として機能させるためのプログラム。
【請求項８】
請求項７記載のプログラムであって、
前記表示制御手段は、選択した時刻表情報の表示形態を前記時刻情報からの時間差に応じて変化させるプログラム。
【請求項９】
時刻表情報を表示部に表示させる方法であって、
前記時刻表情報と時刻情報とを比較し、
比較結果に基づいて、前記時刻表情報から前記時刻情報に基づいて特定した時刻以降の時刻表情報を部分的に選択し、
選択した時刻表情報を前記表示部に表示させる方法。
【請求項１０】
時刻表情報を表示部に表示させる方法であって、
前記時刻表情報と時刻情報とを比較し、
比較結果に基づいて、前記時刻表情報から前記時刻情報に基づいて特定した時刻以降の時刻表情報を部分的に選択し、
選択した時刻表情報の表示形態を基準となる時刻情報との差分に応じて変化させ、
表示形態を変化させた時刻表情報を前記表示部に表示させる方法。
【発明の詳細な説明】
【技術分野】
【０００１】
本発明は、時刻表情報を表示部に表示可能な情報端末、時刻表情報表示プログラム及び時刻表情報表示方法に関する。
【背景技術】
【０００２】
携帯電話などの携帯情報端末は、インターネット上のサーバから提供される情報を取得することにより、場所や時間を問わず必要な情報を容易に取得できるようになった。携帯情報端末にはこの利点を活かすための各種機能やサービス、それらを実行するためのアプリケーション等が搭載されている。所望の駅またはバス停留所等を出発する交通機関の時刻表データ（時刻表情報）の取得もその一例で、近年では、携帯情報端末内蔵のＧＰＳ(Global Positioning System)ユニットと連動して、携帯情報端末の現在位置情報に基づいて最寄り駅の終電発車時刻情報などの取得が可能である（例えば、非特許文献１参照）。
【０００３】
【非特許文献１】”ＧＰＳナビゲーション機能に連動した「駅前探検倶楽部」の新サービスについて”、[online]、[平成１５年１２月３日検索]、インターネット＜URL：http://www.toshiba.co.jp/about/press/2001_12/pr_j0303.htm＞
【発明の開示】
【発明が解決しようとする課題】
【０００４】
しかしながら、上記従来の時刻表データ配信サービスまたは時刻表データの取得においては、ＧＰＳシステムの現在位置情報や入力により駅名などが指定されると、当該駅を発車する電車等の始発から最終までの時刻表データがすべて配信されるか、または始発や最終など配信側で予め限定された情報のみが配信され、携帯情報端末でそれらのデータを取得するという方式が一般的であり、使用者が希望する情報を選択的に的確に提供、取得するものではなかった。そのため、複数の交通機関が乗り入れるターミナル駅などが指定された場合、不必要な交通機関の時刻表データまで取得されたり、逆に取得したデータに必要な時間帯の時刻表データが含まれていない場合がある。また、所望の交通機関の時刻表であっても、データの中に不要な時間帯の時刻表データが含まれており、必要な時刻表データを把握しにくい場合がある。さらに、携帯情報端末の使用者は現在時刻を把握して、取得した時刻表データの中から、現在時刻以降に発車する電車等を調べるという作業が必要である。
【０００５】
また、一方では、携帯情報端末付属のカメラで、駅の掲示板や紙に印刷された時刻表を撮影し、携帯情報端末の使用者にとって必要な時刻表だけを画像で保存するという利用形態もあるが、時刻表画像の中からこれから発車する電車等を調べるという作業は上記と同様に必要であり、例えば、掲示板の大きな時刻表を複数部分に分けて撮影して保存しているような場合、現在時刻の時刻表データを含む時刻表画像を探すのに時間がかかるなど、発車時刻を調べる作業が煩雑である。
【０００６】
本発明は、上記従来の事情に鑑みてなされたものであって、ユーザが必要とする時刻表情報を的確に把握できる情報端末、時刻表情報表示プログラム及び時刻表情報表示方法を提供することを目的とする。
【課題を解決するための手段】
【０００７】
本発明の携帯情報端末は、時刻表情報を表示部に表示可能な情報端末であって、前記時刻表情報を格納する格納手段と、時刻情報を取得する時刻情報取得手段と、前記時刻表情報と前記時刻情報とを比較する比較手段と、比較結果に基づいて、前記時刻表情報から前記時刻情報に基づいて特定した時刻以降の時刻表情報を部分的に選択する選択手段と、選択した時刻表情報を前記表示部に表示させる表示制御手段と、を備える。
【０００８】
上記構成によれば、時刻表情報と時刻情報との比較結果に基づいて、前記時刻表情報から前記時刻情報に基づいて特定した時刻以降の時刻表情報を部分的に選択する選択手段を備えることにより、時刻表情報が部分的に表示されるため、ユーザが必要とする時刻表情報を的確に把握できる。
【０００９】
また、本発明の情報端末は、前記表示制御手段が、選択した時刻表情報の表示形態を、前記時刻情報からの時間差に応じて変化させる。上記構成によれば、時間差に応じて表示形態を変えることで、表示される時刻表情報に優先度を持たせることができる。
【００１０】
また、本発明の情報端末は、前記時刻表情報を取得する時刻表情報取得手段を備える。  また、本発明の情報端末は、前記時刻表情報取得手段が、文字認識により画像データから時刻表情報を読み取る。上記構成によれば、必要に応じて時刻表情報を取得できる。また、文字認識により画像データを変換できる為、時刻表情報のデータ量を抑えることができる。
【００１１】
また、本発明の情報端末は、前記格納手段に格納された時刻表情報から、前記時刻情報と比較する時刻表情報を現在位置情報及び目的地情報に基づいて選択する時刻表情報選択手段を備える。上記構成によれば、複数の時刻表情報の中から現在位置から目的地に到達するために必要な時刻表情報を、ユーザが入力することなく容易に取得できる。
【００１２】
また、本発明のサーバは、時刻表情報を送信するサーバであって、前記時刻表情報と時刻情報との比較により前記時刻表情報から部分的に選択した、前記時刻表情報から前記時刻情報に基づいて特定した時刻以降の時刻表情報を送信する送信手段を備える。
【００１３】
また、本発明のプログラムは、時刻表情報を表示部に表示させるプログラムであって、コンピュータを、前記時刻表情報と時刻情報とを比較する比較手段、比較結果に基づいて、前記時刻表情報から前記時刻情報に基づいて特定した時刻以降の時刻表情報を部分的に選択する選択手段、選択した時刻表情報を前記表示部に表示させる表示制御手段として機能させるためのものである。
【００１４】
また、本発明のプログラムは、前記表示制御手段が、選択した時刻表情報の表示形態を前記時刻情報からの時間差に応じて変化させる。
【００１５】
また、本発明の時刻表情報表示方法は、時刻表情報を表示部に表示させる方法であって、前記時刻表情報と時刻情報とを比較し、比較結果に基づいて、前記時刻表情報から前記時刻情報に基づいて特定した時刻以降の時刻表情報を部分的に選択し、選択した時刻表情報を前記表示部に表示させる。
【００１６】
さらに、本発明の時刻表情報表示方法は、時刻表情報を表示部に表示させる方法であって、前記時刻表情報と時刻情報とを比較し、比較結果に基づいて、前記時刻表情報から前記時刻情報に基づいて特定した時刻以降の時刻表情報を部分的に選択し、選択した時刻表情報の表示形態を基準となる時刻情報との差分に応じて変化させ、表示形態を変化させた時刻表情報を前記表示部に表示させる。
【発明の効果】
【００１７】
本発明によれば、時刻表情報と時刻情報との比較結果に基づいて、前記時刻表情報から前記時刻情報に基づいて特定した時刻以降の時刻表情報を部分的に選択する選択手段を備えることにより、時刻表情報が部分的に表示されるため、ユーザが必要とする時刻表情報を的確に把握できる。
【発明を実施するための最良の形態】
【００１８】
図１は、本発明の一実施の形態を説明するための携帯情報端末の概略構成を示す図である。携帯情報端末１００は、時刻表情報を表示部に表示可能な情報端末であり、主に、制御部１０、画像表示部２０、ＧＰＳ装置３０、カメラ４０、メモリ５０、入力部６０、送受信部７０、などで構成される。
【００１９】
制御部１０は、ＣＰＵ等で構成され、携帯情報端末１００全体の動作を統括制御するものであり、時刻情報を取得する機能を有する。また、制御部１０は、時刻表データと時刻情報とを比較する機能及び比較結果に基づいて、時刻表データから時刻情報に基づいて特定した時刻以降の時刻表データを部分的に選択する機能を有する時刻表データ選択部１１を含む。画像表示部２０は、画像やテキストを表示するためのものであり、選択した時刻表情報の表示形態を、時刻情報からの時間差に応じて変化させる表示修飾部２１を含み、ＬＣＤ等のディスプレイで構成される。
【００２０】
制御部１０の時刻表データ選択部１１は、更に、同じ時刻表を分割して撮影した複数の時刻表画像を１つの画像に合成する画像合成部１２、文字認識により時刻表画像からテキスト（数値）データとしての時刻表データを読み取る文字認識部１３、メモリ５０に格納された複数の種類の時刻表データから、時刻情報と比較する時刻表データを現在位置情報及び目的地情報に基づいて選択する時刻表データ抽出部１４、などで構成される。尚、上記各部の機能は、メモリ５０に格納された各機能の制御用プログラムを制御部１０のＣＰＵで実行することにより実現される。制御部１０及び表示修飾部２１は、選択した時刻表データを画像表示部２０に表示させる。
【００２１】
ＧＰＳ装置３０は、携帯情報端末１００の現在位置を測定するためのユニットで公知の測位手法により現在位置情報を生成する。カメラ４０は、時刻表を撮影することにより時刻表画像を生成する。メモリ５０は、時刻表データや携帯情報端末１００の各機能を実現するための制御用プログラムやカメラ４０で撮影した時刻表画像などを格納する。入力部６０はキーボードなどで構成され、操作者の入力を制御部１０へ伝達する。また、送受信部７０はアンテナ７１を備え、携帯情報端末１００の電話機能やデータ送受信機能を有する。
【００２２】
図２は、図１に示す携帯情報端末の時刻表データ取得方法を説明するフローチャートであり、時刻表画像から時刻表データを生成する場合の時刻表データ取得手順を示す。はじめに、時刻表データ作成用のアプリケーションを起動すると（ステップＳ１０１）、制御部１０は、時刻表画像の撮影を促す表示等を行う。携帯情報端末１００の操作者により駅の掲示板や紙に印刷された時刻表がカメラ４０で撮影されると（ステップＳ１０２）、制御部１０は時刻表画像のデータをメモリ５０に保存する（ステップＳ１０３）。次に、制御部１０は、撮影した時刻表が複数の画像データに分割されている場合、操作者の所定の入力により、画像合成部１２で時刻表画像の合成処理を開始する（ステップＳ１０４）。
【００２３】
図３は、画像合成処理を概念的に示す図である。図に示すように、同じ時刻表から撮影した２つの時刻表画像は、双方の共通部分がマッチするように合成される。尚、画像の合成は、公知のマージ方法を用いてかまわない。次に、制御部１０は、合成された画像について、文字認識部１３で時刻表データ（テキストデータ）の読み取りを行う（ステップＳ１０５）。
【００２４】
図４は、文字認識処理の手順を示すフローチャートであり、図２のステップS１０５における時刻表データ読み取り手順を示す。はじめに、時刻表画像の２値化処理を行う（ステップＳ２０１）。次に、時刻表などに多用されている反転文字などについて文字認識が行えるように、特殊文字の反転処理を行う（ステップＳ２０２）。更に、公知の手法を用いて画像中のライン検索を行い（ステップＳ２０３）、文字認識に不要な直線部分を除外する（ステップＳ２０４）。以上の処理を行った時刻表画像について、所謂ＯＣＲ（Optical Character Recognition）機能による文字の読み取りを行う（ステップＳ２０５）。読み取り文字についてはその判定を行い（ステップＳ２０６）、読み取り間違い等は携帯情報端末の操作者により手動修正されて最終的にテキストデータとして確定し、文字認識処理が終了する（ステップＳ２０７）。
【００２５】
図２のフローチャートに戻り、時刻表画像から認識された時刻表データは、メモリ５０に保存される（ステップＳ１０６）。以上の手順により、カメラで撮影した時刻表画像から時刻表データ（テキストデータ）が取得され、格納される。
【００２６】
図５は、図１に示す携帯情報端末の時刻表データ表示手順を示すフローチャートである。はじめに、時刻表データ表示用のアプリケーションを起動すると（ステップＳ３０１）、制御部１０は、携帯情報端末１００の現在時刻情報を取得する（ステップＳ３０２）。次に、予めメモリ５０に格納されている複数の時刻表データ（例えば、別の駅や別の交通機関の時刻表データなど）の中から、現在位置情報や目的地情報などに基づいて、選択対象として適切な時刻表データを抽出する（ステップＳ３０３）。
【００２７】
図６は、時刻表データ抽出処理の手順を示すフローチャートである。はじめに、制御部１０は、携帯情報端末の使用者が入力部６０から時刻表データの指定を行うか否かを判断し（ステップＳ４０１）、入力による指定を行う場合、指定された時刻表データ（例えば、ある鉄道会社の特定の駅における特定の路線の時刻表データ）をメモリ５０から抽出する（ステップＳ４０２）。一方、入力による指定を行わない場合、次に、現在位置情報の取得が可能か否かを判断する（ステップＳ４０３）。ＧＰＳ機能付きの携帯情報端末の場合は現在位置情報を取得し（ステップＳ４０４）、当該位置情報に基づいて公知の手法で最寄り駅を把握する（ステップＳ４０５）。また、ＧＰＳ機能を搭載しない携帯情報端末の場合、携帯情報端末の操作者の入力により現在位置情報を取得する（ステップＳ４０６）。更に、制御部１０は、例えば降車駅名などの目的地情報の入力が有るか否かを判断し（ステップＳ４０７）、目的地情報の入力がある場合は当該目的地情報から降車駅を把握する（ステップＳ４０８）。
【００２８】
以上の手順により、例えば、乗車駅（現在位置）と降車駅（目的地）から路線が把握できるので、制御部１０は、当該路線に関する時刻表データをメモリ５０から抽出することができる（ステップＳ４０９）。尚、現在位置情報だけでも、メモリ５０に格納された複数の時刻表データの中から適切な時刻表データを抽出することは実用的には可能である。
【００２９】
図５のフローチャートに戻り、時刻表データ選択部１１は、抽出した時刻表データを、ステップＳ３０２で取得した現在時刻情報と比較し（ステップＳ３０４）、比較結果に基づいて、時刻表データから現在時刻（時刻情報に基づいて特定した時刻）以降の時刻表データを所定の数だけ選択する（ステップＳ３０５）。尚、時刻表データの選択は、現在時刻以降のデータを選択してもよいが、例えば、現在時刻から１分後が発車時刻である場合などは乗車できる可能性が極めて低いため、予め、現在時刻から所定時間（例えば、５分）経過後の時刻を特定時刻として、それ以降のデータを部分的に選択するようにしてもよい。このようにしておけば、余裕を持って乗車できる電車等の発車時刻情報のみを選択することができる。また、選択するデータの数は、携帯情報端末１００の画像表示部２０のディスプレイの大きさなどに応じて予め設定しておけばよい。また、特定時刻として、ユーザが入力した時刻（例えば、１月１日午前１０時）を用いてもよい。
【００３０】
次に、選択した時刻表データについて、表示修飾部２１で表示の修飾処理を行う（ステップＳ３０６）。これは、例えば、最も直近の発車時刻の数字のフォントを大きくしたり、他と異なる色（例えば、赤色表示）にしたりして、優先順位を付け、直感的に把握しやすい表示に加工する処理である。その他、発車時刻までの残り時間の減少に応じて、フォントや数字の点滅頻度を増加させたりするなど、適宜際立つような表示を行うように設定する。修飾処理が行われた時刻表データは、画像表示部２０のディスプレイに表示される（ステップＳ３０７）。
【００３１】
図７は、ディスプレイに表示される時刻表データの表示例を示す図である。図に示すように、現在時刻以降の時刻表データの一部が表示され、且つ直近の発車時刻の数字が着色された背景上に大きなフォントで表示されている。発車時刻が近いほど、大きなフォントで表示されるようになっているため、携帯情報端末の操作者は、発車時刻までの残り時間を直感的に把握することができる。尚、表示を更新させる操作によって、発車時刻が過ぎた時刻表データが順次消去されるように設定してもよい。以上の手順により、有効な時刻表データのみが選択され、表示形態の違いによって直近の発車時刻情報が視覚で直感的に把握できるように表示される。
【００３２】
尚、上記では時刻表データを携帯情報端末１００内蔵のカメラ４０で撮影して生成する場合について説明したが、通信可能に接続したインターネット上のサーバ等からユーザが必要とする時刻表データを予めダウンロードしてメモリ５０に格納しておき、都度、時刻表データ選択部１１で必要な時刻表データを選択して表示させるようにしてもよいことは言うまでもない。
【００３３】
以上のように、本発明の一実施の形態によれば、カメラ付き携帯情報端末で撮影した時刻表画像やインターネット上のサーバ等から取得した時刻表データから、最も有効な現在時刻以降の発車時刻情報が部分的に選択されて表示され、しかも発車までの残り時間に応じて強調表示などが施され、必要性の高い情報のみを容易に的確に取得することができる。
【００３４】
尚、上記では、時刻表データ選択部１１で選択された時刻表データ（テキストデータ）を表示する構成としたが、選択された時刻表データに基づいて、当該時刻表データが含まれる領域の時刻表画像を表示させるような構成としてもかまわない。この場合、時刻表画像から抽出された時刻表データは、現在時刻や現在位置情報、目的地情報に基づく時刻表データの選択作業のみに使用される。そのため、例えば、文字認識部１３のＯＣＲ機能の精度が低い場合などは、間違って読み取りされた数字が時刻表データとして表示される可能性があるが、時刻表画像を表示させる場合はその影響を受けずに正しい時刻表をディスプレイに表示することができる。
【００３５】
図８は、本発明の一実施の形態を説明するためのサーバの概略構成を示す図である。サーバ２００は、時刻表情報を送信するものであり、主に、制御部８０、メモリ９０、送受信部９１、などで構成される。
【００３６】
制御部８０は、ＣＰＵ等で構成され、サーバ２００全体の動作を統括制御するブロックで、後述する時刻表データ選択部８１と、テキストに強調や着色、点滅など、表示に係わる修飾処理を行うための表示修飾部８３とを含む。
【００３７】
メモリ９０は、サーバ２００の各機能を実現するための制御用プログラムや、携帯情報端末１００に配信するための時刻表データなどを格納する。送受信部９１は、インターネット網３００、携帯電話網の地上基地局４００などを介して携帯情報端末１００と通信可能に接続し、データの送受信を行うものであり、メモリ９０に格納された時刻表データと時刻情報との比較により時刻表データから部分的に選択した、時刻表データから時刻情報に基づいて特定した時刻以降の時刻表データを送信する。
【００３８】
制御部８０の時刻表データ選択部８１は、更に、複数の種類の時刻表データから、携帯情報端末１００から送信される現在位置情報や目的地情報などに合致する時刻表データを抽出する時刻表データ抽出部８２で構成される。尚、時刻表データ抽出部８２及び表示修飾部８３の機能は、メモリ９０に格納された各機能の制御用プログラムを制御部８０のＣＰＵで実行することにより実現される。
【００３９】
図９は、図８に示すサーバの時刻表データ配信手順を示すフローチャートである。はじめに、サーバ２００の制御部８０は、送受信部９１を介して携帯情報端末１００からの時刻表データ配信要求を受信すると（ステップＳ５０１）、現在時刻情報を取得する（ステップＳ５０２）。次に、予めメモリ９０に格納されている複数の時刻表データ（例えば、別の駅や別の交通機関の時刻表データなど）の中から、時刻表データ配信要求と同時に送信される携帯情報端末の現在位置情報や目的地情報などに基づいて、現在時刻情報と比較する時刻表データを抽出する（ステップＳ５０３）。
【００４０】
図１０は、時刻表データ抽出処理の手順を示すフローチャートである。はじめに、制御部８０は、現在時刻情報と比較する時刻表データを指定する情報を携帯情報端末１００から受信しているか否かを判断し（ステップＳ６０１）、受信している場合、指定された時刻表データ（例えば、ある鉄道会社の特定の駅における特定の路線の時刻表データ）をメモリ９０から抽出する（ステップＳ６０２）。一方、指定情報を受信していない場合、次に、携帯情報端末から送信される現在位置情報を受信し（ステップＳ６０３）、当該位置情報に基づいて公知の手法で最寄り駅を把握する（ステップＳ６０４）。更に、制御部８０は、例えば降車駅名などの目的地情報を受信しているか否かを判断し（ステップＳ６０５）、目的地情報を受信している場合は当該目的地情報から降車駅を把握する（ステップＳ６０６）。
【００４１】
以上の手順により、例えば、乗車駅（現在位置）と降車駅（目的地）から路線が把握できるので、制御部８０は、当該路線に関する時刻表データをメモリ９０から抽出することができる（ステップＳ６０７）。尚、携帯情報端末から現在位置情報のみが送信される場合は、乗車駅しか判らず路線が把握できないため、当該駅に乗り入れる交通機関が複数ある際はその複数の時刻表データが抽出されることになる。
【００４２】
図９のフローチャートに戻り、時刻表データ選択部８１は、抽出した時刻表データを、ステップＳ５０２で取得した現在時刻情報と比較し（ステップＳ５０４）、現在時刻以降の時刻表データを所定の数だけ選択する（ステップＳ５０５）。尚、時刻表データの選択は、現在時刻以降（特定時刻）のデータを部分的に選択してもよいが、例えば、現在時刻から１分後が発車時刻である場合などは乗車できる可能性が極めて低いため、予め、現在時刻から所定時間（例えば、５分）経過後の時刻を特定時刻として、それ以降のデータを部分的に選択するようにしてもよい。このようにしておけば、余裕を持って乗車できる電車等の発車時刻情報のみを選択することができる。また、特定時刻として、ユーザが入力した時刻（例えば、１月１日午前１０時）を用いてもよい。また、選択するデータの数は、以降２時間以内のデータを選択するなど、予め任意に設定しておけばよい。
【００４３】
次に、部分的に選択した時刻表データについて、表示修飾部８３で表示の修飾処理を行う（ステップＳ５０６）。これは、例えば、最も直近の発車時刻の数字のフォントを大きくしたり、他と異なる色（例えば、赤色表示）にしたりして、視覚で直感的に把握しやすい表示に加工する処理である。その他、発車時刻までの残り時間の減少に応じて、フォントや数字の点滅頻度を増加させたりするなど、適宜際立つような表示を行うように設定する。修飾処理が行われた時刻表データは、時刻表データ配信要求を発信した携帯情報端末１００へ送信される（ステップＳ５０７）。以上の手順により、有効な時刻表データを部分的に選択して、直近の発車時刻情報が視覚で直感的に把握できるように表示の修飾処理を行った時刻表データを携帯情報端末へ配信することができる。配信された時刻表データを受信した携帯情報端末では、図７に示すように、表示形態の違いによって直近の発車時刻情報を視覚で直感的に把握できる。
【００４４】
尚、上記の実施の形態では、現在位置情報はＧＰＳ装置で取得する構成としたが、携帯電話の地上基地局が発信する位置情報を取得しても同様の効果が得られることは言うまでもない。
【産業上の利用可能性】
【００４５】
本発明の情報端末、時刻表情報表示プログラム及び時刻表情報表示方法は、時刻表情報と時刻情報との比較結果に基づいて、前記時刻表情報から前記時刻情報に基づいて特定した時刻以降の時刻表情報を部分的に選択する選択手段を備えることにより、時刻表情報が部分的に表示されるため、ユーザが必要とする時刻表情報を的確に把握できる効果を有し、時刻表情報を表示部に表示させる情報端末、時刻表情報表示プログラム及び時刻表情報表示方法等に有用である。
【図面の簡単な説明】
【００４６】
【図１】本発明の一実施の形態を説明するための携帯情報端末の概略構成を示す図である。
【図２】図１に示す携帯情報端末の時刻表データ取得方法を説明するフローチャートである。
【図３】画像合成処理を概念的に示す図である。
【図４】文字認識処理の手順を示すフローチャートである。
【図５】図１に示す携帯情報端末の時刻表データ表示手順を示すフローチャートである。
【図６】時刻表データ抽出処理の手順を示すフローチャートである。
【図７】ディスプレイに表示される時刻表データの表示例を示す図である。
【図８】本発明の一実施の形態を説明するためのサーバの概略構成を示す図である。
【図９】図８に示すサーバの時刻表データ配信手順を示すフローチャートである。
【図１０】時刻表データ抽出処理の手順を示すフローチャートである。
【符号の説明】
【００４７】
１０  制御部
１１  時刻表データ選択部
１４  時刻表データ抽出部
２１  表示修飾部
３０  ＧＰＳ装置
４０  カメラ
５０  メモリ
７１  アンテナ
８０  制御部
８１  時刻表データ選択部
８２  時刻表データ抽出部
８３  表示修飾部
９０  メモリ
１００  携帯情報端末
２００  サーバ
【図１】
2005227844.tif 000003
【図２】
2005227844.tif 000004
【図３】
2005227844.tif 000005
【図４】
2005227844.tif 000006
【図５】
2005227844.tif 000007
【図６】
2005227844.tif 000008
【図７】
2005227844.tif 000009
【図８】
2005227844.tif 000010
【図９】
2005227844.tif 000011
【図１０】
2005227844.tif 000012